(57)【要約】【課題】ルアーアクションを向上させると共に、効果的なフッキングを実現する釣り用ルアーを提供する。【解決手段】ルアーボディ１の所定部位にフック６を有し、フック６周辺のルアーボディ１適所にマグネット１０が装着され、マグネット１０の磁力により、フック６をルアーボディ１に沿わせて固定可能とする。【選択図】図２
2015019600.tif 000002
【特許請求の範囲】
【請求項１】
ルアーボディの所定部位にフックを有し、該フック周辺の前記ルアーボディ適所にマグネットが装着され、
前記マグネットの磁力により、前記フックを前記ルアーボディに沿わせて固定可能としたことを特徴とする釣り用ルアー。
【請求項２】
前記ルアーボディは小魚に似せた形状に形成され、その腹部に前記フックが取り付けられると共に、該フックの取付部付近に前記マグネットの装着部を設けたことを特徴とする請求項１に記載の釣り用ルアー。
【請求項３】
前記マグネットは前記装着部において、前記ルアーボディ内部に埋設されることを特徴とする請求項２に記載の釣り用ルアー。
【請求項４】
前記マグネットはバランスウェイトとして機能することを特徴とする請求項２又は３に記載の釣り用ルアー。
【発明の詳細な説明】
【技術分野】
【０００１】
本発明は、ルアーボディ適所にフックを備えた釣り用ルアーに関する。
【背景技術】
【０００２】
ルアー釣りにおいて、対象魚の種類等に応じて様々な形態や工夫が施されたルアーが考案されている。たとえば、所謂フィッシュイーターと呼ばれる主に小魚を常食餌とする大型の対象魚の場合、小魚に似せた形態のルアーが使用される。対象魚を誘い、つまり対象魚に対して強くアピールする集魚効果を得るために、ルアーの形や色彩等につき工夫がなされている。
【０００３】
この種のルアーはハードルアーとソフトルアーに大別され、前者はプラスチック、ウッド、金属のような固い素材で作られ、後者はその逆で、ソフトプラスチックや豚の皮等でできた柔らかいものである。例えば特許文献１等に開示されるようなソフトルアーが知られている。
【０００４】
ハードルアー等において魚形状をしたルアーボディの腹部にフック（針）を取り付けものでは、該フックは通常、金属製リングを介してルアーボディに接続されている。実使用において、ルアーボディから垂れ下がったフックは、ブラブラと自由に動けるようになっている。
【先行技術文献】
【特許文献】
【０００５】
【特許文献１】特開２０１２−４４９７２号公報
【発明の概要】
【発明が解決しようとする課題】
【０００６】
上記のようなルアーではルアーが水中でアクションする際、ルアーボディの動作にフックが追従し、ルアー本来のアクションを抑制してしまう。また、ルアーボディから垂れ下がったフックは、ルアー遊泳中に外観的に丸見え状態であり、魚にフックの存在を気付かれ、真魚でなくルアーであることを見抜かれてしまい、これらの要因から結果的に魚に対するアピール効果に影響が生じる。
【０００７】
ところでソフトルアーにおいても魚形状をし、その腹部にフックを取り付けたものがあり、その場合フックをルアーボディに突き刺し、該フックをルアーボディに沿わせるようにした手法が既に普及している。しかしながら、このルアーでは魚が掛かった際、ルアーボディに刺さっているフックが引っ張られて、特にフックが刺さっているルアーボディの部位まわりがちぎられてしまう等の問題がある。
【０００８】
本発明はかかる実情に鑑み、ルアーアクションを向上させると共に、効果的なフッキングを実現する釣り用ルアーを提供することを目的とする。
【課題を解決するための手段】
【０００９】
本発明の釣り用ルアーは、ルアーボディの所定部位にフックを有し、該フック周辺の前記ルアーボディ適所にマグネットが装着され、前記マグネットの磁力により、前記フックを前記ルアーボディに沿わせて固定可能としたことを特徴とする。
【００１０】
また、本発明の釣り用ルアーにおいて、前記ルアーボディは小魚に似せた形状に形成され、その腹部に前記フックが取り付けられると共に、該フックの取付部付近に前記マグネットの装着部を設けたことを特徴とする。
また、本発明の釣り用ルアーにおいて、前記マグネットは前記装着部において、前記ルアーボディ内部に埋設されることを特徴とする。
また、本発明の釣り用ルアーにおいて、前記マグネットはバランスウェイトとして機能することを特徴とする。
【発明の効果】
【００１１】
本発明によれば、マグネットの磁力によってフックをルアーボディに沿わせて固定することで、遊泳の際等にフックがブラブラとランダムに動くことはなく、ルアー本来のアクションを保証することができる。また、フックがルアーボディに沿って固定されるため、魚からフックが見え難くなり、対象魚に対する高いアピール効果が確保される。更に、魚が掛かった際にはフックは略自動的にルアーボディから離れるので、効果的なフッキングを実現することができる。
【図面の簡単な説明】
【００１２】
【図１】本発明の第１の実施形態におけるルアーの全体構成例を示す側面図である。
【図２】本発明の第１の実施形態におけるルアーの作用を説明する斜視図である。
【図３】本発明の第１の実施形態におけるルアーの作用を説明する正面図である。
【図４】本発明の第２の実施形態におけるルアーの全体構成例を示す側面図である。
【図５】本発明の第２の実施形態におけるルアーの作用を説明する図である。
【発明を実施するための形態】
【００１３】
以下、図面に基づき、本発明における釣り用ルアーの好適な実施の形態を説明する。
図１は、本発明の釣り用ルアーの例を示している。図において、１はルアーボディ、２はルアーボディ１の先端に設けた糸環であり、この糸環２に釣糸３が結び付けられる。更に、４はフックハンガ、５はフックハンガであり、これらにフロントフック（釣針）６およびリヤフック７が係着する。フロントフック６及びリヤフック７はそれぞれリング８，９を介して、フックハンガ４，５即ちルアーボディ１に接続される。なお、ルアーボディ１内の適所に図示しないバランスウェイトを内蔵し、適正な水中姿勢をとるようにするとよい。
【００１４】
なお、この実施形態はハードルアーの例とし、ルアーボディ１は合成樹脂等の材料により小魚に似せた外観形状となるように形成され、概略中空構造を有している。ルアーボディ１はその長手方向（前後方向）に沿って二分した２つのボディハーフを相互に接合してなる。
【００１５】
本発明のルアーは、この例ではフロントフック６の周辺のルアーボディ１適所にマグネット１０が装着され、マグネット１０の磁力により、フロントフック６をルアーボディ１に沿わせて固定可能としている。
典型的な例として小魚に似せた形状に形成されたルアーボディ１の腹部にて、フロントフック６がフックハンガ４に取り付けられると共に、該フロントフック６の取付部付近にマグネット１０の装着部１１を設ける。装着部１１は本例ではフックハンガ４の適度に後方に位置する。
【００１６】
装着部１１は、ルアーボディ１内部でリブもしくは隔壁１１ａで囲まれることで形成することができる。装着部１１に装着されたマグネット１０は、ルアーボディ１内部に埋設されるかたちで保持される。マグネット１０の形状等については種々選択可能であり、円板状あるいは球状等を適宜のものが選ばれる。
【００１７】
本発明のルアーでは図２のように、マグネット１０の磁力によってフロントフック６を吸引して、ルアーボディ１に沿わせて固定することができる。フロントフック６をこのように固定することで、図３にも示したようにルアーボディ１と実質的に一体化する。この状態ではフロントフック６はルアーボディ１にしっかりと固定保持されているため、遊泳の際等にブラブラとランダムに動くことはなく、ルアー本来のアクションを保証することができる。また、フロントフック６がルアーボディ１に沿って固定されるため、魚からフロントフック６が見え難くなり、外観的により小魚に近いものとなる。これにより対象魚に対する高いアピール効果が確保され、結果として釣果に繋がる。更に、魚が掛かった際にはフロントフック６は略自動的にルアーボディ１から離れるので、効果的なフッキングを実現することができる。
【００１８】
上記の場合、本発明のルアーは、図１に示す例のように前部あるいは後部等の適所に所謂バランスウェイト１２，１２′を適宜選択的に設け、それらにより遊泳中のバランスをとるようにすることができる。マグネット１０はそれらのバランスウェイト１２，１２′と協働して、又は単独でバランスウェイトとして機能することが可能である。
【００１９】
次に本発明の第２の実施形態において、ソフトルアーに本発明を適用した例とする。ソフトルアーは、ソフトベイト(Soft plastic bait)あるいはワーム(Plastic worm)とも呼ばれ、軟質ゴム、ゲル又は軟質樹脂で形成され、形態的にミミズのようなシンプルなタイプやエビ等の複雑なタイプを始めとして、魚型のものまで種々のタイプが普及している。対象魚がハードルアーに比べ違和感を覚え難いため、ハードルアーに慣れてしまっている（いわゆるスレた）状態には良いとされる。
【００２０】
第２の実施形態におけるルアーは図４に示すように魚形状のルアーボディ２１を有し、その腹部にフック２２を取り付けたものである。ルアーボディ２１の先端に設けた糸環２３に釣糸２４が結び付けられる。糸環２３とフックハンガ２５はルアーボディ２１内部で連結されていてもよく、該フックハンガ２５にはリング２６を介してフック２２が接続される。
【００２１】
この例でもフック２２の周辺のルアーボディ２１適所にマグネット２７が装着され、マグネット２７の磁力により、図５のようにフック２２をルアーボディ２１に沿わせて固定可能とする。フックハンガ２５の適度に後方にマグネット２７の装着部２８を有し、マグネット２８は、ルアーボディ２１内部に埋設されるかたちで保持される。
【００２２】
第２の実施形態においてもマグネット２８の磁力によってフック２２をルアーボディ２１に沿わせて固定することができる。これにより第１の実施形態の場合と同様に、ルアー本来のアクションを保証することができると共に、魚からフック２２が見え難くなり、対象魚に対する高いアピール効果が確保される。
【００２３】
第２の実施形態では特に、フック２２をルアーボディ２１に沿わせて固定する際、フック２２をルアーボディ２１に刺すことなく的確に固定することができる。そして、魚が掛かった際にはフック２２は略自動的にルアーボディ２１から離れるので、該ルアーボディ２１がちぎられてしまう等の心配がなく、極めて効果的なフッキングを実現することができる。
【００２４】
以上、本発明を種々の実施形態と共に説明したが、本発明はこれらの実施形態にのみ限定されるものではなく、本発明の範囲内で変更等が可能である。
上記実施形態において、第１の実施形態に係るマグネット１０の装着部１１をフックハンガ４の後方に設けた例を説明したが、その近傍であれば例えばフックハンガ４の前方等に設けることも可能である。また、第１の実施形態におけるフロントフック６の例で説明したが、リヤフック７の近傍に別のマグネットを設け、上記同様にリヤフック７も磁気吸引することが可能である。
本発明は上記実施形態に係るルアーの他に、フックを有するタイプのもの全てに対して同様に適用可能であり、上記実施形態と同様な作用効果を得る。
【符号の説明】
【００２５】
１  ルアーボディ、２  糸環、３  釣糸、４，５  フックハンガ、６  フロントフック（釣針）、７  リヤフック、８，９  リング、１０  マグネット、１１  装着部、２１  ルアーボディ、２２  フック、２３  糸環、２４  釣糸、２５  フックハンガ、２７  マグネット、２８  装着部。
【図１】
2015019600.tif 000003
【図２】
2015019600.tif 000004
【図３】
2015019600.tif 000005
【図４】
2015019600.tif 000006
【図５】
2015019600.tif 000007